(57)【特許請求の範囲】
【請求項１】
背面板と前記背面板のうちの所定領域以外の領域に少なくとも設けられた背面光源とを有するベース部材と、
前記所定領域の前面を覆うように設けられた表示デバイスであって、動画を表示可能な動画表示部と、前後方向と直交する平面内において該動画表示部の周囲に設けられたフレームとを有する表示デバイスと、
前記フレームの前面を少なくとも覆う発光ユニットとを備える看板装置であって、
前記発光ユニットは、ユニット光源と、発光面を有し且つ前記ユニット光源の光を前記発光面へ導く導光体とを備えており、
前記発光面は、前方から見た場合に少なくとも前記フレームを覆っている
看板装置。
【請求項２】
請求項１に記載の看板装置であって、
前記導光体は、前記フレームの前記前面を覆う覆い部と、当該覆い部から後方に延びる側部とを備えており、
前記ユニット光源は、前記側部内に配置されており、
前記発光面は、前記覆い部の前面である
看板装置。
【請求項３】
請求項２に記載の看板装置であって、
前記ユニット光源は、ＬＥＤ素子である
看板装置。
【請求項４】
請求項２又は請求項３に記載の看板装置であって、
前記導光体は、アクリル樹脂からなる、看板装置。
【請求項５】
請求項１乃至請求項４のいずれかに記載の看板装置であって、
前記背面光源は、ＬＥＤ素子であり、
前記表示デバイスは、液晶ディスプレイデバイスである
看板装置。
【発明の詳細な説明】
【技術分野】
【０００１】
本発明は、例えば街頭や道路、駅等に設置される看板装置に関する。
【背景技術】
【０００２】
かかる看板装置としては、例えば特許文献１に記載の看板装置のように、静止画に対して背面から光を当てることにより広告を表示する看板装置が提案されている。
【０００３】
これに対して、特許文献２には、動画を利用することにより動きや色彩の変化を伴う広告を液晶ディスプレイ等に表示することにより、特許文献１の看板装置と比較して広告に対する注目度をより高めることとした看板装置が開示されている。
【先行技術文献】
【特許文献】
【０００４】
【特許文献１】特開２００９−１６３１４９号公報
【特許文献２】特開２０１０−２４９９４８号公報
【発明の概要】
【発明が解決しようとする課題】
【０００５】
特許文献２に記載されている看板装置は、表示したい広告のサイズが大きくなるほど液晶ディスプレイのサイズも大きなものとしなければならず、看板装置の製造にかかるコストや使用時の消費電力が増大するといった問題がある。
【０００６】
そこで、本発明は、広告に対する注目度が高く且つコストも低減可能な看板装置を提供することを目的とする。
【課題を解決するための手段】
【０００７】
本発明の発明者は、広告内の一部分を動かすことによりいわゆるアイ・キャッチ効果によって広告への注目度を高めることができる点に着目し、静止画と動画との両方を用いた看板装置を創出した。
【０００８】
更に、静止画の一部について動画を用いて表現しようとした場合に液晶ディスプレイ等のフレーム部分に起因して動画と静止画との一体感が失われてしまう可能性があることに鑑み、全体として一体感を有する看板装置を提供することとした。
【０００９】
具体的には、本発明によれば、第１の看板装置として、背面板と前記背面板のうちの所定領域以外の領域に少なくとも設けられた背面光源とを有するベース部材と、前記所定領域の前面を覆うように設けられた表示デバイスであって、動画を表示可能な動画表示部と、前後方向と直交する平面内において該動画表示部の周囲に設けられたフレームとを有する表示デバイスと、前記フレームの前面を少なくとも覆う発光ユニットとを備える看板装置が得られる。
【００１０】
また、本発明によれば、第２の看板装置として、第１の看板装置であって、前記発光ユニットは、ユニット光源と、発光面を有し且つ前記ユニット光源の光を前記発光面へ導く導光体とを備えており、前記発光面は、前方から見た場合に少なくとも前記フレームを覆っている看板装置が得られる。
【００１１】
また、本発明によれば、第３の看板装置として、第２の看板装置であって、前記ユニット光源は、ＬＥＤ素子である看板装置が得られる。
【００１２】
また、本発明によれば、第４の看板装置として、第２又は第３の看板装置であって、前記導光体は、アクリル樹脂からなる看板装置が得られる。
【００１３】
また、本発明によれば、第５の看板装置として、第１乃至第４のいずれかの看板装置であって、前記背面光源は、ＬＥＤ素子であり、前記表示デバイスは、液晶ディスプレイデバイスである看板装置が得られる。
【発明の効果】
【００１４】
本発明によれば、広告内に設けられた動画部分により広告に対する注目度を高めることができる一方で、動画部分以外の部分を静止画で構成したことによりコストを低減することができる。
【００１５】
更に、表示デバイスのフレームに発光体を設けたことにより、フレームの影が広告内に映ることがなくなることから、違和感のない広告表示が可能となる。
【図面の簡単な説明】
【００１６】
【図１】本発明の実施の形態による看板装置を示す図である。
【図２】図１の看板装置を示す分解斜視図である。
【図３】図１のIII−III線に沿った部分断面図である。
【図４】本発明の看板装置に用いられる発光ユニットの変形例を示す斜視断面図である。
【発明を実施するための形態】
【００１７】
図１乃至図３に示されるように、本発明の実施の形態による看板装置１０は、プリント原稿１００と、アクリル板２００と、ベース部材３００と、液晶ディスプレイデバイス（表示デバイス）４００と、発光ユニット５００とを備えている。以下においては「目の動く魚の絵」を表現してなる看板装置の例について説明する。
【００１８】
プリント原稿１００は、動画領域１１０及び静止画領域１２０を有している。本実施の形態による動画領域１１０は透明な領域となっており、後述するように動画領域１１０越しに動く目の動画を見ることができるように構成されている。一方、静止画領域１２０には「目」以外の部分が描かれている。
【００１９】
図２に示されるように、アクリル板２００は、アクリル樹脂からなる薄く平らな板である。プリント原稿１００は、アクリル板２００の前面に位置している。即ち、アクリル板２００は、プリント原稿１００を後方から支持している。
【００２０】
図２及び図３に示されるように、ベース部材３００は、背面板３１０と、ベースフレーム３１２と、ＬＥＤ素子３２０とを備えている。ＬＥＤ素子３２０は、プリント原稿１００を背面から照らすためものであり、背面板３１０の前面に一様に取り付けられている。本実施の形態において、ベース部材３００は、図示しない支持部材によって液晶ディスプレイデバイス４００を支持している。ベースフレーム３１２は、看板装置１０の側面を構成すると共にプリント原稿１００が支持されたアクリル板２００を支持している。本実施の形態においては、背面板３１０と、ベースフレーム３１２とは一体に形成されているが、これらを別体のものとして形成してもよい。
【００２１】
本実施の形態による液晶ディスプレイデバイス４００は、一般的な構造を有するものである。即ち、液晶ディスプレイデバイス４００は、液晶パネル（動画表示部）４１０、フレーム４２０、光源、駆動回路等を備えている。液晶パネル４１０は、周囲を覆われるようにしてフレーム４２０に支持されている。換言すると、フレーム４２０は、看板装置１０の前後方向と直交する平面内において液晶パネル４１０の周囲に設けられる。本実施の形態による液晶パネル４１０には、上下左右に動く「目」の動画が表示される。液晶ディスプレイデバイス４００は、プリント原稿１００の動画領域１１０内に当該動画が表れるように位置が決められベース部材３００に固定される。なお、発明のポイントを明確にするために、液晶ディスプレイデバイス４００を構成する部材のうち液晶パネル４１０及びフレーム４２０以外の部材については図示していない。
【００２２】
図３に示されるように、発光ユニット５００は、透明なアクリル樹脂からなる導光体５１０と、当該導光体５１０の内部に設けられたＬＥＤ素子５２０とを有している。発光ユニット５００は、前方から液晶ディスプレイデバイス４００に対して装着されている。
【００２３】
導光体５１０は、側部５１２と覆い部５１４とを有している。図３に示されるように、覆い部５１４は、液晶ディスプレイデバイス４００のフレーム４２０の前面４３０を覆うように設けられている。なお、本実施の形態による導光体５１０の材料としては、アクリル樹脂の他に、ポリカーボネイト等の高屈折率で透明性の高いポリマー部材、合成樹脂等を用いることとしてもよい。
【００２４】
ＬＥＤ素子５２０は、導光体５１０の側部５１２の後方に配置され前方に向けて発光する。導光体５１０を構成するアクリル樹脂は高い屈折率を有しているため、ＬＥＤ素子５２０の光のほとんどが前面５１６を通って導光体５１０の外へと出ていくこととなる。即ち、覆い部５１４の前面５１６は発光面として機能する。また、上述したように、覆い部５１４はフレーム４２０の前面４３０を覆うように設けられているため、当該発光面もフレーム４２０の前面４３０を覆うこととなる。
【００２５】
以上説明した構成を有する看板装置１０においては、動画領域１１０に表れる「動く目」と静止画領域１２０に描かれた「目以外の部分」とが一体となって「目の動く魚の絵」が表示される。このように、動かしたい部分のみを液晶ディスプレイデバイス４００を用いて表示することとしたため、例えば広告全てを液晶ディスプレイデバイスに表示するタイプの看板装置に比べて生産コストを最小限のものにすることができ、看板装置１０の使用時における消費電力も抑えることができる。また、動画の有するいわゆるアイ・キャッチ効果により広告への注目度を高めることができる。更に、導光体５１０の前面５１６が発光することにより液晶ディスプレイデバイス４００のフレーム４２０の影がプリント原稿１００に映ることがないため、静止画と動画とを一体化して自然に表示することが可能となる。
【００２６】
なお、背面板３１０に設けられる光源としてＬＥＤ素子５２０の代わりに蛍光灯等その他の光源を用いることとしてもよい。また、本実施の形態においては表示デバイスとして液晶ディスプレイデバイス４００を用いていたが、有機ＥＬディスプレイ等の他のディスプレイを用いることとしてもよい。しかし、静止画と動画との間における色温度や輝度の調節のしやすさを考慮すると、本実施の形態のようにＬＥＤ素子５２０と液晶ディスプレイデバイス４００との組合せがより効果的である。
【００２７】
また、発光ユニット５００は導光体５１０及びＬＥＤ素子５２０にて構成されるものであったが、例えばＬＥＤ素子等の発光体自体をフレーム４２０の前面４３０に設ける構成としてもよい。また、発光ユニット５００に用いられる光源として、ＬＥＤ素子５２０以外の光源を用いることとしてもよい。ただし、上述したように背面板３１０のＬＥＤ素子５２０と液晶ディスプレイデバイス４００とを組合せて使用した場合、発光ユニット５００の光源についてもＬＥＤ素子５２０を用いることによって静止画と動画とをより一体化して自然に表示することができる。
【００２８】
本実施の形態においては、液晶ディスプレイデバイス４００によって覆われる所定領域ＳにあるＬＥＤ素子３２０を省略することとしてもプリント原稿１００を照らすことについて問題はない。即ち、背面板３１０に設けられるＬＥＤ素子３２０は、所定領域Ｓ以外の領域に少なくとも配置されていればよい。ただし、本実施の形態のように領域ＳにもＬＥＤ素子３２０を配置しておくこととすれば、使用されるプリント原稿が変更されて液晶ディスプレイデバイス４００の位置を変更しなければならなくなった場合等にも柔軟に対応することができる。なお、領域ＳにあるＬＥＤ素子３２０を発光させないこととしてもよく、換言すれば領域Ｓ以外の領域に位置するＬＥＤ素子３２０を少なくとも発光させることとしてもよい。
【００２９】
更に、看板装置のプリント原稿の差し替えの際には変更後のプリント原稿において動画領域が変わる場合があるが、例えば図４に示されるような発光ユニット５００’を用いることとすれば液晶ディスプレイデバイスの位置の変更をより簡単に行うことができる。図４に示されるように、発光ユニット５００’は液晶ディスプレイデバイスを収容する収容部５０１’を複数有しており、上述した発光ユニット５００（図２参照）を単位構造として格子状並べ一体形成してなるものである。即ち、当該単位構造は、側部５１２’と、覆い部５１４’とを有しており、各単位構造には開口部５１５’が形成されている。側部５１２’の後方にはＬＥＤ素子５２０’が埋め込まれており、当該ＬＥＤ素子５２０’の光は覆い部５１４’の前面５１６’から発せられる。プリント原稿が変更され動画領域が変わった場合でも、新たなプリント原稿の動画領域に対応する収容部５０１’へ液晶ディスプレイデバイスを移動させるだけでよい。このような発光ユニット５００’を使用することにより、プリント原稿の変更にも簡単に対応することができる。
【００３０】
なお、上述した実施の形態におけるプリント原稿の有する動画領域は一つであったが、複数の動画領域を有するプリント原稿を用いることとしてもよい。その場合、図３に示される液晶ディスプレイデバイス４００及び発光ユニット５００のセットを複数配置することとしてもよいし、図４に示される発光ユニット５００’に複数の液晶ディスプレイデバイスを収容することとしてもよい。
【符号の説明】
【００３１】
１０        看板装置
１００        プリント原稿
１１０        動画領域
１２０        静止画領域
２００        アクリル板
３００        ベース部材
３１０        背面板
３１２        ベースフレーム
３２０        ＬＥＤ素子（背面光源）
４００        液晶ディスプレイデバイス（表示デバイス）
４１０        液晶パネル（動画表示部）
４２０        フレーム
４３０        前面
５００，５００’        発光ユニット
５０１’        収容部
５１０，５１０’        導光体
５１２，５１２’        側部
５１４，５１４’        覆い部
５１６，５１６’        前面（発光面）
５２０，５２０’        ＬＥＤ素子（ユニット光源）
【図１】
0005283045.tif 000002
【図２】
0005283045.tif 000003
【図３】
0005283045.tif 000004
【図４】
0005283045.tif 000005